(57)【要約】【課題】プロジェクタ部と表示部とで、よりユーザニーズを考慮した表示制御を行うこと。【解決手段】携帯電子機器は、所定の表示データを表示する表示部と、表示データの少なくとも一部を投影するプロジェクタ部と、自装置の状態を示す自装置状態情報を少なくとも含む表示データを記憶する記憶部と、表示部及び／又はプロジェクタ部に記憶部に記憶された表示データを表示及び／又は投影させる制御部と、を備え、制御部は、表示部には自装置状態情報を含む表示データを表示し、プロジェクタ部には自装置状態情報を含まない表示データを投影させる。【選択図】図５
2010197754.tif 000002
【特許請求の範囲】
【請求項１】
所定の表示データを表示する表示部と、
前記表示データの少なくとも一部を投影するプロジェクタ部と、
自装置の状態を示す自装置状態情報を少なくとも含む前記表示データを記憶する記憶部と、
前記表示部及び／又は前記プロジェクタ部に前記記憶部に記憶された前記表示データを表示及び／又は投影させる制御部と、を備え、
前記制御部は、
前記表示部には前記自装置状態情報を含む前記表示データを表示し、
前記プロジェクタ部には前記自装置状態情報を含まない前記表示データを投影させること
を特徴とする携帯電子機器。
【請求項２】
前記携帯電子機器は、電力を供給する電源部を更に備え、
前記自装置状態情報は、当該電源部の前記電力の残量状態を示すバッテリ残量表示情報を含むこと
を特徴とする、請求項１に記載の携帯電子機器。
【請求項３】
前記携帯電子機器は、無線通信を行う無線通信部を更に備え、
前記表示データは、前記無線通信部の通信状態を示す通信状態表示情報を更に含み、
前記制御部は、
前記表示部には前記通信状態表示情報を含む前記表示データを表示し、
前記プロジェクタ部には前記通信状態表示情報を含まない前記表示データを投影させること
を特徴とする請求項２に記載の携帯電子機器。
【請求項４】
前記携帯電子機器は、利用者によりキー操作される操作部を更に備え、
前記表示データは、前記操作部にて可能な操作を示すソフトキー表示情報を更に含み、
前記制御部は、
前記表示部には前記ソフトキー表示情報を含む前記表示データを表示し、
前記プロジェクタ部には前記ソフトキー表示情報を含まない前記表示データを投影させること
を特徴とする請求項２に記載の携帯電子機器。
【請求項５】
前記記憶部は、
前記表示部及び／又は前記プロジェクタ部に表示及び／又は投影させる前記表示データを形成するための表示用メモリ部
を備え、
前記表示用メモリ部は、
前記表示部に表示させるべき端末状態を示す前記バッテリ残量表示情報、前記通信状態表示情報、および、前記ソフトキー表示情報のうち少なくとも１つを随時更新するための副メモリ部と、
前記副メモリ部に記憶される前記バッテリ残量表示情報、前記通信状態表示情報、および、前記ソフトキー表示情報以外の前記表示データを描画更新するための主メモリ部と、
を更に備え、
前記制御部は、
前記主メモリ部に記憶された前記表示データを前記プロジェクタ部に投影させること
を特徴とする請求項２または請求項３に記載の携帯電子機器。
【請求項６】
前記記憶部は、
前記表示用メモリ部に記憶された前記表示データのうち少なくとも一部を重ね合わせることにより、前記表示部及び／又は前記プロジェクタ部に表示させる合成された前記表示データを形成するための重ね合わせ用メモリ部
を更に備え、
前記制御部は、
前記重ね合わせ用メモリ部に記憶された前記表示データを前記プロジェクタ部に投影させること
を特徴とする請求項５に記載の携帯電子機器。
【請求項７】
前記制御部は、
前記利用者により選択された前記主メモリ部または前記重ね合わせ用メモリ部のうちいずれかに記憶された前記表示データを前記プロジェクタ部に投影させること
を特徴とする請求項５または請求項６に記載の携帯電子機器。
【請求項８】
前記制御部は、
前記プロジェクタ部にて前記表示データを投影中に、前記主メモリ部に記憶された前記表示データが更新されると、前記プロジェクタ部にて投影された前記表示データも更新するが、
前記主メモリ部に記憶された前記表示データが更新されることなく、前記副メモリ部に記憶された前記バッテリ残量表示情報及び／又は前記通信状態表示情報が更新されても、前記プロジェクタ部にて投影された前記表示データは更新しないこと
を特徴とする請求項５または請求項６に記載の携帯電子機器。
【請求項９】
前記制御部は、
前記プロジェクタ部にて前記表示データを投影中に、前記無線通信部の前記通信状態が圏内または圏外に変動することにより、前記副メモリ部に記憶された前記通信状態表示情報が更新されても、前記プロジェクタ部にて投影された前記表示データを変更しないこと
を特徴とする請求項５から請求項７のいずれか１項に記載の携帯電子機器。
【請求項１０】
前記携帯電子機器は、当該携帯電子機器の開閉状態の変動を検出する開閉検出スイッチ、を更に備え、
前記制御部は、
前記開閉検出スイッチにて前記開閉状態の変動が検出された場合、前記副メモリ部に記憶された前記ソフトキー表示情報を変更し、
前記プロジェクタ部にて前記表示データを投影中に、前記開閉検出スイッチにて前記開閉状態の変動が検出されることにより、前記副メモリ部に記憶された前記ソフトキー表示情報が変更されても、前記プロジェクタ部にて投影された前記表示データを変更しないこと
を特徴とする請求項５から請求項８のいずれか１項に記載の携帯電子機器。
【請求項１１】
前記制御部は、
前記プロジェクタ部にて前記表示データを投影中に、前記電源部の前記電力の前記残量状態が変動することにより、前記副メモリ部に記憶された前記バッテリ残量表示情報が更新されると、更新された前記バッテリ残量表示情報を含む前記表示データを前記プロジェクタ部にて投影させること
を特徴とする請求項２から請求項９のいずれか１項に記載の携帯電子機器。
【請求項１２】
前記記憶部は、
前記表示データの投影先を前記表示部もしくは前記プロジェクタ部のいずれかとするか、または、前記表示部および前記プロジェクタ部の両方とするかを設定した投影先選択情報を記憶する投影先選択テーブル
を更に備え、
前記制御部は、
前記投影先選択テーブルに記憶された前記投影先選択情報に設定された前記投影先へ前記表示データを表示すること
を特徴とする請求項２から請求項１０のいずれか１項に記載の携帯電子機器。
【請求項１３】
前記表示部の解像度と前記プロジェクタ部の解像度とが異なり、前記表示部は、前記プロジェクタ部よりも少なくとも一方向に長い画素数を有するワイド領域を備え、
前記制御部は、
前記表示部の前記ワイド領域の少なくとも一部に、前記バッテリ残量表示情報、前記通信状態表示情報、および、前記ソフトキー表示情報のうち少なくとも１つを表示すること
を特徴とする請求項２から請求項１１のいずれか１項に記載の携帯電子機器。
【請求項１４】
前記無線通信部は、ＣＤＭＡ２０００＿１ｘ方式にて無線通信を行うこと、
を特徴とする請求項２から請求項１２のいずれか１項に記載の携帯電子機器。
【発明の詳細な説明】
【技術分野】
【０００１】
本発明は、プロジェクタ機能付き携帯電子機器に関する。
【背景技術】
【０００２】
昨今、携帯可能なプロジェクタ装置が登場してきており、プロジェクタを内蔵した端末が開発されている。
【０００３】
例えば、特許文献１に記載の電子機器、特許文献２に記載の映像投影装置、および、特許文献３に記載の携帯機器は、端末の開閉状態を検出して、端末が備える表示部に表示するかプロジェクタによる投影かを切り替えている。また、特許文献４に記載のプロジェクタ付き電子機器は、プロジェクタによる投影を行う際には表示部を消灯している。また、特許文献５に記載の携帯電話機では、コンテンツに応じて表示部かプロジェクタかを選択している。
【先行技術文献】
【特許文献】
【０００４】
【特許文献１】特開２００５−２０８８０２号公報
【特許文献２】特開２００６−３３３５７号公報
【特許文献３】特開２００６−６７１２１号公報
【特許文献４】特開２００７−７４６５１号公報
【特許文献５】特開２００１−１９７１６７号公報
【発明の概要】
【発明が解決しようとする課題】
【０００５】
しかしながら、従来の携帯端末（特許文献１〜５等）では、プロジェクタ部と表示部とのうちいずれか一方のみを用いることしか想定されていないという問題点を有しているため、よりユーザニーズを考慮した表示制御が求められていた。
【０００６】
すなわち、特許文献１〜４に記載の端末は、端末の開閉状態により表示部とプロジェクタの切り替え制御を行うものであり、また、特許文献５に記載の携帯電話機は、コンテンツの大きさに応じて小型の液晶か大型画面かを選択するものであるが、コンテンツの内容などに応じて表示部またはプロジェクタ部に適切な表示をすることができないという問題点を有していた。
【０００７】
本発明は、上記問題に鑑みてなされたもので、プロジェクタ部と表示部とで、よりユーザニーズを考慮した表示制御を行うことができる携帯電子機器を提供することを目的とする。
【課題を解決するための手段】
【０００８】
上述した課題を解決し、目的を達成するために、本発明に係る携帯電子機器は、所定の表示データを表示する表示部と、前記表示データの少なくとも一部を投影するプロジェクタ部と、自装置の状態を示す自装置状態情報を少なくとも含む前記表示データを記憶する記憶部と、前記表示部及び／又は前記プロジェクタ部に前記記憶部に記憶された前記表示データを表示及び／又は投影させる制御部と、を備え、前記制御部は、前記表示部には前記自装置状態情報を含む前記表示データを表示し、前記プロジェクタ部には前記自装置状態情報を含まない前記表示データを投影させることを特徴とする。
【０００９】
ここで、本発明の携帯電子機器において、前記携帯電子機器は、電力を供給する電源部を更に備え、前記自装置状態情報は、当該電源部の前記電力の残量状態を示すバッテリ残量表示情報を含んでもよい。
【００１０】
ここで、本発明の携帯電子機器において、前記携帯電子機器は、無線通信を行う無線通信部を更に備え、前記表示データは、前記無線通信部の通信状態を示す通信状態表示情報を更に含み、前記制御部は、前記表示部には前記通信状態表示情報を含む前記表示データを表示し、前記プロジェクタ部には前記通信状態表示情報を含まない前記表示データを投影させてもよい。
【００１１】
また、本発明の携帯電子機器において、前記携帯電子機器は、利用者によりキー操作される操作部を更に備え、前記表示データは、前記操作部にて可能な操作を示すソフトキー表示情報を更に含み、前記制御部は、前記表示部には前記ソフトキー表示情報を含む前記表示データを表示し、前記プロジェクタ部には前記ソフトキー表示情報を含まない前記表示データを投影させてもよい。
【００１２】
また、本発明の携帯電子機器において、前記記憶部は、前記表示部及び／又は前記プロジェクタ部に表示及び／又は投影させる前記表示データを形成するための表示用メモリ部
を備え、前記表示用メモリ部は、前記表示部に表示させるべき端末状態を示す前記バッテリ残量表示情報、前記通信状態表示情報、および、前記ソフトキー表示情報のうち少なくとも１つを随時更新するための副メモリ部と、前記副メモリ部に記憶される前記バッテリ残量表示情報、前記通信状態表示情報、および、前記ソフトキー表示情報以外の前記表示データを描画更新するための主メモリ部と、を更に備え、前記制御部は、前記主メモリ部に記憶された前記表示データを前記プロジェクタ部に投影させてもよい。
。
【００１３】
また、本発明の携帯電子機器において、前記記憶部は、前記表示用メモリ部に記憶された前記表示データのうち少なくとも一部を重ね合わせることにより、前記表示部及び／又は前記プロジェクタ部に表示させる合成された前記表示データを形成するための重ね合わせ用メモリ部を更に備え、前記制御部は、前記重ね合わせ用メモリ部に記憶された前記表示データを前記プロジェクタ部に投影させてもよい。
【００１４】
また、本発明の携帯電子機器において、前記制御部は、前記利用者により選択された前記主メモリ部または前記重ね合わせ用メモリ部のうちいずれかに記憶された前記表示データを前記プロジェクタ部に投影させてもよい。
【００１５】
また、本発明の携帯電子機器において、前記制御部は、前記プロジェクタ部にて前記表示データを投影中に、前記主メモリ部に記憶された前記表示データが更新されると、前記プロジェクタ部にて投影された前記表示データも更新するが、前記主メモリ部に記憶された前記表示データが更新されることなく、前記副メモリ部に記憶された前記バッテリ残量表示情報及び／又は前記通信状態表示情報が更新されても、前記プロジェクタ部にて投影された前記表示データは更新しなくてもよい。
【００１６】
また、本発明の携帯電子機器において、前記制御部は、前記プロジェクタ部にて前記表示データを投影中に、前記無線通信部の前記通信状態が圏内または圏外に変動することにより、前記副メモリ部に記憶された前記通信状態表示情報が更新されても、前記プロジェクタ部にて投影された前記表示データを変更しなくてもよい。
【００１７】
また、本発明の携帯電子機器において、前記携帯電子機器は、当該携帯電子機器の開閉状態の変動を検出する開閉検出スイッチ、を更に備え、前記制御部は、前記開閉検出スイッチにて前記開閉状態の変動が検出された場合、前記副メモリ部に記憶された前記ソフトキー表示情報を変更し、前記プロジェクタ部にて前記表示データを投影中に、前記開閉検出スイッチにて前記開閉状態の変動が検出されることにより、前記副メモリ部に記憶された前記ソフトキー表示情報が変更されても、前記プロジェクタ部にて投影された前記表示データを変更しなくてもよい。
【００１８】
また、本発明の携帯電子機器において、前記制御部は、前記プロジェクタ部にて前記表示データを投影中に、前記電源部の前記電力の前記残量状態が変動することにより、前記副メモリ部に記憶された前記バッテリ残量表示情報が更新されると、更新された前記バッテリ残量表示情報を含む前記表示データを前記プロジェクタ部にて投影させてもよい。
【００１９】
また、本発明の携帯電子機器において、前記記憶部は、前記表示データの投影先を前記表示部もしくは前記プロジェクタ部のいずれかとするか、または、前記表示部および前記プロジェクタ部の両方とするかを設定した投影先選択情報を記憶する投影先選択テーブルを更に備え、前記制御部は、前記投影先選択テーブルに記憶された前記投影先選択情報に設定された前記投影先へ前記表示データを表示してもよい。
【００２０】
また、本発明の携帯電子機器において、前記表示部の解像度と前記プロジェクタ部の解像度とが異なり、前記表示部は、前記プロジェクタ部よりも少なくとも一方向に長い画素数を有するワイド領域を備え、前記制御部は、前記表示部の前記ワイド領域の少なくとも一部に、前記バッテリ残量表示情報、前記通信状態表示情報、および、前記ソフトキー表示情報のうち少なくとも１つを表示してもよい。
【００２１】
また、本発明の携帯電子機器において、前記無線通信部は、ＣＤＭＡ２０００＿１ｘ方式にて無線通信を行ってもよい。
【発明の効果】
【００２２】
本発明は、プロジェクタ部と表示部とで、よりユーザニーズを考慮した表示制御を行うことができる携帯電子機器を提供することができるという効果を奏する。
【図面の簡単な説明】
【００２３】
【図１】図１は、本実施の形態に係る携帯電子機器の正面図である。
【図２】図２は、本実施の形態に係る携帯電子機器の側面図である。
【図３】図３は、本実施の形態に係る携帯電子機器を閉じた状態を示す図である。
【図４】図４は、本実施の形態に係る携帯電子機器の機能の一例を第１筐体と第２筐体とに分けて示すブロック図である。
【図５】図５は、本実施の形態に係る携帯電子機器の機能の一例を制御部と記憶部を中心に説明するブロック図である。
【図６】図６は、投影先選択テーブルの一例を説明する図である。
【図７】図７は、本実施の形態に係るプロジェクタ部にプロジェクタ用バッファの表示データを投影させる処理の一例を示すシーケンス図である。
【図８】図８は、本実施の形態に係る表示部に重ね合わせ用メモリ部から表示データを表示させる処理の一例を示すシーケンス図である。
【図９】図９は、本実施の形態に係る投影先選択制御の一例を示すフローチャートである。
【図１０】図１０は、従来技術の表示制御の一例を示す図である。
【図１１】図１１は、従来技術の表示画面の一例を示す図である。
【図１２】図１２は、本発明の表示制御の一例を示す図である。
【図１３】図１３は、本発明の表示制御の別の一例を示す図である。
【発明を実施するための形態】
【００２４】
以下に、本発明の実施の形態につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。例えば、以下においては、携帯電子機器として携帯電話機を例として説明するが、本発明の適用対象は携帯電話機に限定されるものではない。例えば、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ポータブルナビゲーション装置、ノートパソコン、携帯ゲーム機や携帯テレビ等に対しても本発明は適用できる。
【００２５】
図１は、本実施の形態に係る携帯電子機器の正面図である。図２は、本実施の形態に係る携帯電子機器の側面図である。図３は、本実施の形態に係る携帯電子機器を閉じた状態を示す図である。まず、携帯電子機器の構成を説明する。携帯電子機器１は、プロジェクタ機能および無線通信機能を備えた携帯電話機である。携帯電子機器１は、筐体１Ｃが第１筐体１ＣＡと第２筐体１ＣＢとで開閉可能に構成された、折り畳み式の携帯電話機である。図１、図２は、携帯電子機器１を開いた状態を示し、図３は、携帯電子機器１を閉じた状態を示す。
【００２６】
まず、携帯電子機器１の構成を説明する。第１筐体１ＣＡには、表示部２として、図１に示すメインディスプレイ２Ｍが設けられる。また、第１筐体１ＣＡには、同じく表示部２として図３に示すサブディスプレイ２Ｓが設けられる。メインディスプレイ２Ｍとサブディスプレイ２Ｓとは、第１筐体１ＣＡの対向する面にそれぞれ配置されており、携帯電子機器１を閉じたときには、サブディスプレイ２Ｓを利用者が目視できるように構成される。すなわち、表示部２は、携帯電子機器１の筐体１Ｃを閉じたときに隠れ、開いたときに露出するメインディスプレイ２Ｍと、筐体１Ｃを閉じたときでも筐体１Ｃの外側に露出するサブディスプレイ２Ｓとで構成される。メインディスプレイ２Ｍ及びサブディスプレイ２Ｓは、例えば、液晶表示パネルや有機ＥＬ（Ｅｌｅｃｔｒｏ  Ｌｕｍｉｎｅｓｃｅｎｃｅ）パネルのような表示デバイスで構成されており、制御部１４から送られる映像信号（待ち受け画像やメニュー画像等の映像信号であり、静止画、動画を含む）に応じた画像を表示する。
【００２７】
メインディスプレイ２Ｍは、所定の表示データを所定の画像として、携帯電子機器１の電池の残量（バッテリ残量表示情報）や電波の受信状態（通信状態表示情報）や現在時刻情報等を含むピクト行を表示する。また、メインディスプレイ２Ｍは、携帯電子機器１が受信を待機している状態のときに待ち受け画像等のメイン画面を表示する。メインディスプレイ２Ｍは、携帯電子機器１の操作を補助するために用いられるメニュー画像等のソフトキーを表示する。また、サブディスプレイ２Ｓは、図３に示すように、携帯電子機器１を閉じている状態において、携帯電子機器１の電池の残量（バッテリ残量表示情報）や電波の受信状態（通信状態表示情報）や現在時刻情報等を含むピクト行を表示する。また、第１筐体１ＣＡには、携帯電子機器１の通話時に音声を発するスピーカ６が設けられる。また、第１筐体１ＣＡには、プロジェクタ部３が設けられる。このプロジェクタ部３は、表示データを表示する表示部２の表示画面を背後から照明するバックライトの照明等を利用して屋内や屋外の壁や塀などに拡大画像を投影するレンズ等を備える。また、第１筐体１ＣＡには、静止画像や動画を撮像する機能を備えたカメラ４が設けられる。このカメラ４は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｍｔａｒｙ  Ｍｅｔａｌ  Ｏｘｉｄｅ  Ｓｅｍｉｃｏｎｄｕｃｔｏｒ）等の電荷結合素子や固体撮像素子等から構成されるビデオカメラやデジタルカメラやＷｅｂカメラ等である。
【００２８】
第２筐体１ＣＢには、操作部５として、通話相手の電話番号やメール作成時等に文字を入力するための操作キー５ａが複数設けられる。また、第２筐体１ＣＢには、表示データ等の投影先の選択や、ソフトキーとして表示されるメニューの選択及び決定や画面のスクロール等を容易に実行するための方向及び決定キー５ｂが設けられる。また、第２筐体１ＣＢには、携帯電子機器１の通話時に音声を受け取るマイク７が設けられる。また、第２筐体１ＣＢには無線通信部８としてアンテナが設けられており、携帯電子機器１と基地局との間における送受信に用いられる。また、図２に示すように第２筐体１ＣＢには、携帯電子機器１に電力を供給する電源部１０が設けられる。また、第２筐体１ＣＢには、開閉検出スイッチ１１が設けられる。この開閉検出スイッチ１１は、図３に示すように第１筐体１ＣＡと第２筐体１ＣＢが密接しているか（閉じられているか）を確認するスイッチから構成される。すなわち、携帯電子機器１が図３に示すように閉じられていればスイッチがＯＮになり、携帯電子機器１が図１および図２に示すように開いていればスイッチがＯＦＦになることで開閉状態を検出する。また、開閉検出スイッチ１１は、第１筐体１ＣＡに設けられたマグネット（図示せず）に閉じている状態のときに対向する位置に設けられたＭＲセンサ（磁気センサ）により、磁界によって変化する抵抗値を検出することで開閉状態を検出してもよい。また、第２筐体１ＣＢは、携帯電子機器１の傾きを検出する機能を有する３軸加速度センサ等の傾き検出部１２を内蔵して設けていてもよい。
【００２９】
ここで、操作部５は、図１に示す操作キー５ａや方向及び決定キー５ｂを含んで構成されている。操作キー５ａは複数のキーで構成され、また、方向及び決定キー５ｂは複数のスイッチで構成される。複数のキーや複数のスイッチには、電源、通話、数字、文字、方向、決定、発信等、携帯電子機器１の操作に必要な各種の機能が割り当てられている。そして、操作キー５ａや方向及び決定キー５ｂが利用者によって操作されることにより、操作キー５ａや方向及び決定キー５ｂは、その操作内容に割り当てられた信号を発生する。そして、発生した信号は、利用者の指示としてメインＣＰＵ１４ａへ入力される。
【００３０】
図２に示すように、本実施形態において、第２筐体１ＣＢの一つの側部（操作キー５ａや方向及び決定キー５ｂが設けられる面と略直交する面のうちの一つ）には、通信用端子１３が設けられる。通信用端子１３は、第２筐体１ＣＢ内に設けられる記憶部に第２筐体１ＣＢの外部から情報を保存したり、前記記憶部に保存される情報を第２筐体１ＣＢの外部へ取り出したりする際に用いられる。前記記憶部に保存される情報は、例えば、携帯電子機器１の制御に用いるソフトウェアや画像データ、あるいは音声データ等である。
【００３１】
また、図２に示すように、第１筐体１ＣＡと第２筐体１ＣＢとは、ヒンジ９で連結されている。これによって、第１筐体１ＣＡ及び第２筐体１ＣＢは、ヒンジ９を中心としてともに回動して、互いに遠ざかる方向及び互いに接近する方向（図２の矢印Ｒで示す方向）に回動できるように構成される。第１筐体１ＣＡと第２筐体１ＣＢとが互いに遠ざかる方向に回動すると携帯電子機器１が開き、第１筐体１ＣＡと第２筐体１ＣＢとが互いに接近する方向に回動すると携帯電子機器１が閉じる。
【００３２】
続いて、以下図４および図５を参照し、本実施の形態に係る携帯電子機器１の機能について説明する。
【００３３】
まず、図４は、本実施の形態に係る携帯電子機器１の機能の一例を第１筐体１ＣＡと第２筐体１ＣＢとに分けて示すブロック図である。図４に示すように、携帯電子機器１は、第１筐体１ＣＡ（上側筐体）と第２筐体１ＣＢ（下側筐体）とから構成される。
【００３４】
なお、図４においては、第１筐体１ＣＡに備えられた、表示部２、プロジェクタ部３、カメラ４、スピーカ６の説明は、上述の図１〜図３の説明と同様であるため省略する。同様に、第２筐体１ＣＢに備えられた、操作部５、マイク７、電源部１０、開閉検出スイッチ１１、傾き検出部１２の説明は、上述の図１〜図３の説明と同様であるため省略する。
【００３５】
図４に示すように、無線通信部８は、アンテナ８ａ（例えば、通話やデータ送受信等に用いる遠距離・近距離無線通信を行う無線通信用アンテナ）、および、アンテナ８ｂ（例えば、ワンセグ放送受信用アンテナ等のテレビ放送受信用アンテナ）を備える。また、無線通信部８は、アンテナ８ａとアンテナ８ｂとを切り替えるアンテナスイッチ８ｃを備える。また、無線通信部８は、例えばＣＤＭＡ端末用の高周波処理を行うＣＤＭＡ用ＲＦモジュール８ｄを備える。アンテナ８ａ，８ｂ、アンテナスイッチ８ｃ、および、ＣＤＭＡ用ＲＦモジュール８ｄは、無線通信部８を構成する。そして、無線通信部８は、アンテナ８ａ，８ｂにより基地局のいずれかによって割り当てられるチャネルを介して、基地局との間で無線通信を行う。ここで、無線通信部８は、ＣＤＭＡ（Ｃｏｄｅ  Ｄｉｖｉｓｉｏｎ  Ｍｕｌｔｉｐｌｅ  Ａｃｃｅｓｓ）２０００＿１ｘ方式等の通信方式を用いて、複数の基地局からの複数の信号を合成して信号の送受信を行ってもよい。
【００３６】
また、図４において、携帯電子機器１は、制御部１４として、メインＣＰＵ１４ａと、ディスプレイコントローラ１４ｂと、音声処理部１４ｃとを備える。メインＣＰＵ１４ａは、当該ＣＰＵ１４ａに通信可能に接続される各構成部を制御する機能を有する。また、ディスプレイコントローラ１４ｂは、記憶部１５に記憶された所定の表示データを表示部２およびプロジェクタ部３へ表示させるための描画機能および表示制御機能を有する。また、音声処理部１４ｃは、マイク７を介して入力された音声を音声データに変換し、音声データを音声に変換してスピーカ６を介して出力する音声処理を行う機能を有する。なお、描画更新部１４ｂ−１および表示制御部１４ｂ−２を備えるディスプレイコントローラ１４ｂの詳細は後述する。
【００３７】
ここで、音声処理部１４ｃは、スピーカ６から出力される音声信号やマイク７に入力される音声信号の処理を実行する。すなわち、音声処理部１４ｃは、マイク７から入力される音声を増幅し、ＡＤ変換（Ａｎａｌｏｇ  Ｄｉｇｉｔａｌ変換）を実行した後さらに符号化等の信号処理を施して、デジタルの音声データに変換してメインＣＰＵ１４ａへ出力する。また、メインＣＰＵ１４ａから送られる音声データに対して復号化、ＤＡ変換（Ｄｉｇｉｔａｌ  Ａｎａｌｏｇ変換）、増幅等の処理を施してアナログの音声信号に変換してから、スピーカ６へ出力する。
【００３８】
また、図４において、携帯電子機器１は、記憶部１５として、ディスプレイコントローラ１４ｂにより描画更新された各種表示データを記憶するＶ−ＲＡＭ１５ａ，１５ｂと、後述する図５における投影先選択テーブル１５ｃに対応するメモリ１５ｃを備える。なお、記憶部１５のＶ−ＲＡＭ１５ａ，１５ｂ、および、投影先選択テーブル１５ｃの詳細は後述する。
【００３９】
また、図４において、携帯電子機器１は、第１筐体１ＣＡおよび第２筐体１ＣＢの両方に、順次データを高速に送受信する高速シリアルインターフェース１６ａ，１６ｂを備える。携帯電子機器１は、ディスプレイコントローラ１４ｂにより描画更新した表示データをＶ−ＲＡＭ１５ａに書き込む。そして、携帯電子機器１は、高速シリアルインターフェース１６ａを介して第２筐体１ＣＢから第１筐体１ＣＡへ送信する。そして、携帯電子機器１は、第１筐体１ＣＡの高速シリアルインターフェース１６ｂに表示データを受信し、Ｖ−ＲＡＭ１５ｂに書き込む。そして、携帯電子機器１は、Ｖ−ＲＡＭ１５ｂに記憶された表示データを表示部２及び／又はプロジェクタ部３に表示させる。なお、図４において、Ｖ−ＲＡＭ１５ａ，１５ｂを第１筐体１ＣＡおよび第２筐体１ＣＢの両方に備える一例を示したが、必要に応じて第１筐体１ＣＡまたは第２筐体１ＣＢのいずれか片方に１つ備えて構成してもよい。
【００４０】
次に、図５は、本実施の形態に係る携帯電子機器１の機能の一例を制御部１４と記憶部１５を中心に説明するブロック図である。図５に示すように、携帯電子機器１は、所定の表示データを表示するメインディスプレイ２Ｍおよびサブディスプレイ２Ｓを備える表示部２を備える。また、携帯電子機器１は、所定の表示データの少なくとも一部を投影するプロジェクタ部３を備える。また、携帯電子機器１は、利用者によりキー操作される操作キー５ａおよび方向及び決定キー５ｂを備える操作部５を備える。また、携帯電子機器１は、無線通信を行う無線通信部８を備える。また、携帯電子機器１は、携帯電子機器１の開閉状態の変動を検出する開閉検出スイッチ１１を備える。また、携帯電子機器１は、図４のディスプレイコントローラ１４ｂに対応する描画更新部１４ｂ−１および表示制御部１４ｂ−２を少なくとも備える制御部１４を備える。また、携帯電子機器１は、図４のＶ−ＲＡＭ１５ａ，１５ｂに対応する表示用メモリ部１５ａおよび重ね合わせ用メモリ部１５ｂならびに図４のメモリ１５ｃに対応する投影先選択テーブル１５ｃを少なくとも備える記憶部１５を備える。また、携帯電子機器１は、電話機発信時のダイヤル信号で相手の電話番号を検出する機能等を有するダイヤル検出部１７を備える。
【００４１】
ここで、制御部１４は、携帯電子機器１の全体的な動作を統括的に制御する。すなわち、制御部１４は、表示部２やプロジェクタ部３や無線通信部８やダイヤル検出部１７等の動作を制御して、各種の機能を実現する。この制御部１４により、携帯電子機器１の各種の処理が、操作部５の操作や携帯電子機器１の記憶部１５に保存されるソフトウェアやデータ等に応じて適切な手順で実行される。携帯電子機器１の各種の処理としては、例えば、回線交換網を介して行われる音声通話、電子メールの作成及び送受信、インターネットのＷｅｂ（Ｗｏｒｌｄ  Ｗｉｄｅ  Ｗｅｂ）サイトの閲覧、記憶部１５の読み書き制御等の処理がある。これら各種の処理により、表示データの描画機能、表示制御機能や、音声通話機能や、外部機器通信機能、データ通信機能、ブラウザ通信機能、データダウンロード機能、ファイル共有機能、アドレス帳読み書き機能、データベースの読み書き機能等の各種の機能が実現される。ここで、無線通信部８や表示部２やプロジェクタ部３等の動作としては、例えば、無線通信部８における信号の送受信、表示部２及び／又はプロジェクタ部３における表示データの表示や投影等がある。
【００４２】
ここで、図５に示すように、制御部１４は、描画更新部１４ｂ−１と、表示制御部１４ｂ−２とを含んで構成される。
【００４３】
このうち描画更新部１４ｂ−１は、表示データを描画する機能を有する描画更新手段である。例えば、描画更新部１４ｂ−１は、ピクト描画処理、ソフトキー描画処理、画像描画処理、メイン画面描画処理等の描画処理を行う。また、描画更新部１４ｂ−１は、表示部２及び／又はプロジェクタ部３に表示中及び／又は投影中の画面の更新要求を行う。
【００４４】
また、表示制御部１４ｂ−２は、描画更新部１４ｂ−１により描画処理や更新要求された各種表示データを表示用メモリ部１５ａ及び／又は重ね合わせ用メモリ部１５ｂに書き込むことにより、表示部２及び／又はプロジェクタ部３の表示制御を行う表示制御手段である。例えば、表示制御部１４ｂ−２は、プロジェクタ用バッファ１５ａ−１にプロジェクタ部３にて投影させる表示データを書き込む。そして、表示制御部１４ｂ−２は、プロジェクタ用バッファ１５ａ−１に書き込まれた表示データをプロジェクタ部３に転送することにより、プロジェクタ部３にて表示データを投影させる。また、表示制御部１４ｂ−２は、ピクト行表示バッファ１５ａ−２にバッテリ残量表示情報や通信状態表示情報を書き込む。また、表示制御部１４ｂ−２は、ソフトキー表示用バッファ１５ａ−３にソフトキー表示情報を書き込む。また、表示制御部１４ｂ−２は、メイン画面用バッファ１５ａ−４に表示部２に表示させる表示データを書き込む。
【００４５】
また、表示制御部１４ｂ−２は、プロジェクタ用バッファ１５ａ−１に書き込まれた表示データ、ピクト行表示用バッファ１５ａ−２に書き込まれたバッテリ残量表示情報や通信状態表示情報、ソフトキー表示用バッファ１５ａ−３に書き込まれたソフトキー表示情報、および、メイン画面用バッファ１５ａ−４に書き込まれた表示データのうち少なくとも一部を重ね合わせ用メモリ部１５ｂへ書き込むことにより、これら各種データを合成した表示データを形成する。そして、表示制御部１４ｂ−２は、重ね合わせ用メモリ部１５ｂに書き込まれた合成された表示データを表示部２及び／又はプロジェクタ部３に転送することにより、表示部２及び／又はプロジェクタ部３に表示及び／又は投影させる。ここで、表示制御部１４ｂ−２は、投影先選択テーブル１５ｃに記憶された投影先選択情報を参照することにより、表示データのファイル種や機能毎に投影先を選択した上で、上述の表示制御処理をおこなってもよい。
【００４６】
本発明において、制御部１４は、描画更新部１４ｂ−１による描画更新機能および表示制御部１４ｂ−２による表示制御機能を連動して用いている。
【００４７】
すなわち、制御部１４は、表示部２及び／又はプロジェクタ部３に記憶部１５に記憶された表示データを表示及び／又は投影させる。ここで、制御部１４は、表示部２にはバッテリ残量表示情報を含む表示データを表示し、プロジェクタ部３にはバッテリ残量表示情報を含まない表示データを投影させてもよい。また、制御部１４は、表示部２には通信状態表示情報を含む表示データを表示し、プロジェクタ部３には通信状態表示情報を含まない表示データを投影させてもよい。また、制御部１４は、表示部２にはソフトキー表示情報を含む表示データを表示し、プロジェクタ部３にはソフトキー表示情報を含まない表示データを投影させてもよい。
【００４８】
また、制御部１４は、主メモリ部（プロジェクタ用バッファ１５ａ−１）に記憶された表示データをプロジェクタ部３に投影させてもよい。また、制御部１４は、重ね合わせ用メモリ部１５ｂに記憶された表示データをプロジェクタ部３に投影させてもよい。また、制御部１４は、利用者により選択された主メモリ部（プロジェクタ用バッファ１５ａ−１）または重ね合わせ用メモリ部１５ｂのうちいずれか（プロジェクタ用バッファ１５ａ−１または重ね合わせ用メモリ部１５ｂ）に記憶された表示データをプロジェクタ部３に投影させてもよい。また、制御部１４は、プロジェクタ部３にて表示データを投影中に、主メモリ部（プロジェクタ用バッファ１５ａ−１）に記憶された表示データが更新されると、プロジェクタ部３にて投影された表示データも更新するが、主メモリ部（プロジェクタ用バッファ１５ａ−１）に記憶された表示データが更新されることなく、副メモリ部（ピクト行表示用バッファ１５ａ−２）に記憶されたバッテリ残量表示情報及び／又は通信状態表示情報が更新されても、プロジェクタ部３にて投影された表示データは更新しなくてもよい。
【００４９】
また、制御部１４は、プロジェクタ部３にて表示データを投影中に、無線通信部８の通信状態が圏内または圏外に変動することにより、副メモリ部（ピクト行表示用バッファ１５ａ−２に対応）に記憶された通信状態表示情報が更新されても、プロジェクタ部３にて投影された表示データを変更しなくてもよい。また、制御部１４は、開閉検出スイッチ１１にて開閉状態の変動が検出された場合、副メモリ部（ソフトキー表示用バッファ１５ａ−３）に記憶されたソフトキー表示情報を変更し、プロジェクタ部３にて表示データを投影中に、開閉検出スイッチ１１にて開閉状態の変動が検出されることにより、副メモリ部（ソフトキー表示用バッファ１５ａ−３）に記憶されたソフトキー表示情報が変更されても、プロジェクタ部３にて投影された表示データを変更しなくてもよい。また、制御部１４は、プロジェクタ部３にて表示データを投影中に、電源部１０の電力の残量状態が変動することにより、副メモリ部（ピクト行表示用バッファ１５ａ−２）に記憶されたバッテリ残量表示情報が更新されると、更新されたバッテリ残量表示情報を含む表示データをプロジェクタ部３にて投影させてもよい。
【００５０】
また、制御部１４は、投影先選択テーブル１５ｃに記憶された投影先選択情報に設定された投影先へ表示データを表示してもよい。ここで、表示部２の解像度とプロジェクタ部３の解像度とが異なり、表示部２は、プロジェクタ部３よりも少なくとも一方向に長い画素数を有するワイド領域を備え（例えば、表示部２がワイドＶＧＡであり、プロジェクタ部３が通常のＶＧＡである場合等）、制御部１４は、表示部２のワイド領域の少なくとも一部に、バッテリ残量表示情報、通信状態表示情報、および、ソフトキー表示情報のうち少なくとも１つを表示してもよい。なお、ＶＧＡ（Ｖｉｄｅｏ  Ｇｒａｐｈｉｃｓ  Ａｒｒａｙ）は、６４０×４８０ドットの解像度であり、ワイドＶＧＡ（Ｗｉｄｅ  Ｖｉｄｅｏ  Ｇｒａｐｈｉｃｓ  Ａｒｒａｙ）は、８００×４８０ドットの解像度である。
【００５１】
一例として、表示部２にワイドＶＧＡを用い、プロジェクタ部３に通常のＶＧＡを用いる場合、ワイドＶＧＡは８００×４８０ドットであり、ＶＧＡは６４０×４８０ドットであるため、表示部２のワイドＶＧＡとプロジェクタ部３のＶＧＡ間で画素数の差が生じる差分領域がある。そのため、制御部１４は、表示部２のワイド領域の少なくとも一部の差分領域に、バッテリ残量表示情報、通信状態表示情報、および、ソフトキー表示情報のうち少なくとも１つを表示してもよい。また、制御部１４は、１０２４×７６８ドットのＸＧＡ（ｅＸｔｅｎｄｅｄ  Ｇｒａｐｈｉｃｓ  Ａｒｒａｙ）と、１６００×１２００ドットのＵＸＧＡ（Ｕｌｔｒａ  ｅＸｔｅｎｄｅｄ  Ｇｒａｐｈｉｃｓ  Ａｒｒａｙ）との間で画素数の差が生じる差分領域に、バッテリ残量表示情報、通信状態表示情報、および、ソフトキー表示情報のうち少なくとも１つを表示してもよい。また、制御部１４は、３２０×２４０ドットのＱＶＧＡ（Ｑｕａｒｔｅｒ  Ｖｉｄｅｏ  Ｇｒａｐｈｉｃｓ  Ａｒｒａｙ）と、４００×２５０ドットのワイドＸＧＡ（Ｗｉｄｅ  Ｑｕａｒｔｅｒ  Ｖｉｄｅｏ  Ｇｒａｐｈｉｃｓ  Ａｒｒａｙ）との間で画素数の差が生じる差分領域に、バッテリ残量表示情報、通信状態表示情報、および、ソフトキー表示情報のうち少なくとも１つを表示してもよい。
【００５２】
記憶部１５は、例えば、不揮発性の記憶デバイス（ＲＯＭ：Ｒｅａｄ  Ｏｎｌｙ  Ｍｅｍｏｒｙ等の不揮発性半導体メモリ、ハードディスク装置等）や、読み書き可能な記憶デバイス（例えば、ＳＲＡＭ：Ｓｔａｔｉｃ  Ｒａｎｄｏｍ  Ａｃｃｅｓｓ  Ｍｅｍｏｒｙ、ＤＲＡＭ：Ｄｙｎａｍｉｃ  Ｒａｎｄｏｍ  Ａｃｃｅｓｓ  Ｍｅｍｏｒｙ、ＶＲＡＭ：Ｖｉｄｅｏ  Ｒａｎｄｏｍ  Ａｃｃｅｓｓ  Ｍｅｍｏｒｙ等）で構成される。記憶部１５は、各種のファイルやテーブルやプログラム、データベース等（例えば、表示用メモリ部１５ａ、重ね合わせ用メモリ部１５ｂ、および、投影先選択テーブル１５ｃ）を格納する。ここで、表示用メモリ部１５ａは、プロジェクタ用バッファ１５ａ−１、ピクト行表示用バッファ１５ａ−２、ソフトキー表示用バッファ１５ａ−３、および、メイン画面用バッファ１５ａ−４を更に備える。
【００５３】
本発明において、記憶部１５は、自装置の状態を示す自装置状態情報を少なくとも含む所定の表示データを記憶する記憶手段である。ここで、自装置状態情報は、電源部１０の電力の残量状態を示すバッテリ残量表示情報を含んでもよい。ここで、表示データは、無線通信部８の通信状態を示す通信状態表示情報を更に含んでもよい。また、表示データは、操作部５にて可能な操作を示すソフトキー表示情報を更に含んでもよい。
【００５４】
これら記憶部１５の各構成要素のうち、表示用メモリ部１５ａは、表示部２及び／又はプロジェクタ部３に表示及び／又は投影させる表示データを形成するための表示用メモリである。ここで、表示用メモリ部１５ａは、表示部２に表示させるべき端末状態を示すバッテリ残量表示情報、通信状態表示情報、および、ソフトキー表示情報のうち少なくとも１つを随時更新するための副メモリ部（ピクト行表示用バッファ１５ａ−２やソフトキー表示用バッファ１５ａ−３）と、前記副メモリ部に記憶されるバッテリ残量表示情報、通信状態表示情報、および、ソフトキー表示情報以外の表示データを描画更新するための主メモリ部（プロジェクタ用バッファ１５ａ−１やメイン画面用バッファ１５ａ−４）と、を更に備えてもよい。具体的には、表示用メモリ部１５ａは、プロジェクタ部３にて投影される表示データを記憶するプロジェクタ用バッファ１５ａ−１、ソフトキー表示情報を記憶するソフトキー表示用バッファ１５ａ−３、バッテリ残量表示情報および通信状態表示情報を記憶するピクト行表示用バッファ１５ａ−２、ならびに、表示部２に表示される表示データを記憶するメイン画面用バッファ１５ａ−４、を少なくとも含む。
【００５５】
また、重ね合わせ用メモリ部１５ｂは、表示用メモリ部１５ａに記憶された表示データのうち少なくとも一部を重ね合わせることにより、表示部２及び／又はプロジェクタ部３に表示させる合成された表示データを形成するための重ね合わせ用メモリである。具体的には、重ね合わせ用メモリ部１５ｂは、プロジェクタ用バッファ１５ａ−１に記憶された表示データと、ソフトキー表示用バッファ１５ａ−３に記憶されたソフトキー表示情報と、ピクト行表示用バッファ１５ａ−２に記憶されたバッテリ残量表示情報および通信状態表示情報と、メイン画面用バッファ１５ａ−４に記憶された表示データとのうち少なくとも一部を重ね合わせた表示データを記憶してもよい。
【００５６】
また、投影先選択テーブル１５ｃは、表示データの投影先を表示部２もしくはプロジェクタ部３のいずれかとするか、または、表示部２およびプロジェクタ部３の両方とするかを設定した投影先選択情報を記憶する投影先選択情報記憶手段である。
【００５７】
ここで、図６を参照し、投影先選択テーブル１５ｃの一例について説明する。図６に示すように、投影先選択テーブル１５ｃは、表示するファイルや機能毎に投影先を選択する場合に用いる情報を記憶している。例えば、投影先選択テーブル１５ｃの第２行目では、ファイルがパワーポイント（登録商標）ファイルである場合、ピクトエリアに表示されるピクト行表示情報をＬＣＤの表示部２に表示するよう設定されている。同様に、ソフトキーエリアに表示されるソフトキー表示情報をＬＣＤの表示部２に表示するよう設定されている。同様に、サブメニューについては、表示部２とプロジェクタ部３の両方に、メイン１のスライド部分に関してはプロジェクタ部３に、メイン２のノート部分に関して液晶の表示部２へ表示及び／又は投影させるよう設定している。また、投影先選択テーブル１５ｃの第３行目では、ファイルがＰＤＦ（登録商標）ファイルである場合、ピクトエリア、ソフトキーエリア、サブメニューに関しては、第１行のパワーポイント（登録商標）ファイルと同様に設定している。そして、メイン１の本文に関してはプロジェクタ部３にて投影させ、メイン２のページ一覧に関しては液晶の表示部２へ表示するよう設定している。
【００５８】
続いて、図６において、投影先選択テーブル１５ｃの第４行目では、待ち受け機能を使用する場合、ピクトエリアはプロジェクタ部３にて投影させ、ソフトキーエリアおよびサブメニューはＬＣＤの表示部２へ表示するよう設定している。そして、メイン１の背景に関してはＬＣＤの表示部２に表示し、メイン２のお知らせ表示に関してはプロジェクタ部３にて投影させるよう設定している。また、投影先選択テーブル１５ｃの第５行目では、Ｅメール機能を使用する場合、ピクトエリアおよびソフトキーエリアはＬＣＤの表示部２に表示するよう設定している。そして、サブメニューに関しては表示部２とプロジェクタ部３の両方の表示及び／投影させるよう設定している。そして、メイン１の件名に関してはＬＣＤの表示部２に表示し、メイン２の本文に関してはプロジェクタ部３にて投影させるよう設定している。また、投影先選択テーブル１５ｃの第６行目では、ブラウザ機能を使用する場合、ピクトエリア、ソフトキーエリア、および、サブメニューに関しては第５行目のＥメール機能と同様に設定している。そして、メイン１に関しては、プロジェクタ部３にて投影させるよう設定している。また、投影先選択テーブル１５ｃの第７行目では、時刻を表示するピクトエリアはプロジェクタ部３にて投影させ、ソフトキーエリアおよびサブメニューについては、ＬＣＤの表示部２に表示するよう設定している。そして、メイン１に関しては、テレビ画面をプロジェクタ部３にて投影させるよう設定している。
【００５９】
このように、記憶部１５は、表示用メモリ部１５ａにプロジェクタ用バッファ１５ａ−１を設け、制御部１４は、プロジェクタ部３に投影させたい表示データをプロジェクタ用バッファ１５ａ−１に書き込む。そして、制御部１４は、プロジェクタ部３を使用する際には重ね合わせ用メモリ部１５ｂからではなく、プロジェクタ用バッファ１５ａ−１からプロジェクタ部３に転送する。ここで、制御部１４がプロジェクタ部３に転送する表示データは、重ね合わせ用メモリ部１５ｂとプロジェクタ用バッファ１５ａ−１のどちらか使うか選択可能とする。また、制御部１４は、特定の表示情報（動画／静止画）は常にプロジェクタ用バッファ１５ａ−１に書き込む。また、制御部１４は、プロジェクタ用バッファ１５ａ−１に変更があった場合のみプロジェクタ部３に表示データを転送する（例えば、ピクト行表示バッファ１５ａ−２が更新されてもプロジェクタ部３への転送は行わない）。さらに、制御部１４は、プロジェクタ機能が使用できる状態の場合にファイルや機能ごとに表示部２かプロジェクタ部３のいずれかもしくは両方の設定ができるようにしておく。これにより、制御部１４は、その設定に合わせて表示及び／又は投影することで、最適な表示を行うことが可能となる。
【００６０】
次に、本実施の形態に係る携帯電子機器１の処理の一例について、以下に図７〜図１３を参照して詳細に説明する。
【００６１】
ここで、図７は、本実施の形態に係るプロジェクタ部３にプロジェクタ用バッファ１５ａ−１の表示データを投影させる処理の一例を示すシーケンス図である。また、図８は、本実施の形態に係る表示部２に重ね合わせ用メモリ部から表示データを表示させる処理の一例を示すシーケンス図である。また、図９は、本実施の形態に係る投影先選択制御の一例を示すフローチャートである。また、図１０は、従来技術の表示制御の一例を示す図である。また、図１１は、従来技術の表示画面の一例を示す図である。また、図１２は、本発明の表示制御の一例を示す図である。また、図１３は、本発明の表示制御の別の一例を示す図である。
【００６２】
まず、図７に示すように、プロジェクタ部３にプロジェクタ用バッファ１５ａ−１の表示データを投影させる場合、描画更新部１４ｂ−１は、電力を供給する電源部１０の電力の残量状態を示すバッテリ残量表示情報や、無線通信を行う無線通信部８の通信状態を示す通信状態表示情報を描画するピクト描画処理を行う（Ｓ１０１）。
【００６３】
そして、表示制御部１４ｂ−２は、Ｓ１０１において描画更新部１４ｂ−１の処理により描画処理されたバッテリ残量表示情報（例えば、電池マーク）や通信状態表示情報（例えば、アンテナマーク）をピクト行表示バッファ１５ａ−２に書き込む（Ｓ１０２）。
【００６４】
そして、描画更新部１４ｂ−１は、操作部５にて可能な操作を示すソフトキー表示情報を描画するソフトキー描画処理を行う（Ｓ１０３）。
【００６５】
そして、表示制御部１４ｂ−２は、Ｓ１０３において描画更新部１４ｂ−１の処理により描画処理されたソフトキー表示情報（例えば、「Ｃメール」や「選択」等）をソフトキー表示用バッファ１５ａ−３に書き込む（Ｓ１０４）。
【００６６】
そして、描画更新部１４ｂ−１は、プロジェクタ部３にて投影させる表示データの画像描画処理を行う（Ｓ１０５）。
【００６７】
そして、表示制御部１４ｂ−２は、Ｓ１０５において描画更新部１４ｂ−１の処理により描画処理された表示データ（例えば、サッカー場の画像等）をプロジェクタ用バッファ１５ａ−１に書き込む（Ｓ１０６）。
【００６８】
そして、描画更新部１４ｂ−１は、表示部２に表示する表示データのメイン画面画像描画処理を行う（Ｓ１０７）。
【００６９】
そして、表示制御部１４ｂ−２は、Ｓ１０６において描画更新部１４ｂ−１の処理により描画処理された表示データ（例えば、Ｅメールメニュー表示等）をメイン画面用バッファ１５ａ−４に書き込む（Ｓ１０８）。
【００７０】
そして、表示制御部１４ｂ−２は、描画更新部１４ｂ−１の処理により画面更新要求がプロジェクタ部３に対してなされると（Ｓ１０９）、Ｓ１０６においてプロジェクタ用バッファ１５ａ−１に書き込まれた表示データをプロジェクタ部３に転送する（Ｓ１１０）。これにより、表示制御部１４ｂ−２は、プロジェクタ部３にて表示データを投影させる。すなわち、表示制御部１４ｂ−２は、主メモリ部（プロジェクタ用バッファ１５ａ−１）に記憶された表示データをプロジェクタ部３に投影させる。
【００７１】
ここで、表示制御部１４ｂ−２は、表示部２にはバッテリ残量表示情報を含む表示データを表示し、プロジェクタ部３にはバッテリ残量表示情報を含まない表示データを投影させてもよい。また、表示制御部１４ｂ−２は、表示部２には通信状態表示情報を含む表示データを表示し、プロジェクタ部３には通信状態表示情報を含まない表示データを投影させてもよい。また、表示制御部１４ｂ−２は、表示部２にはソフトキー表示情報を含む表示データを表示し、プロジェクタ部３にはソフトキー表示情報を含まない表示データを投影させてもよい。
【００７２】
また、表示制御部１４ｂ−２は、プロジェクタ部３にて表示データを投影中に、主メモリ部（プロジェクタ用バッファ１５ａ−１）に記憶された表示データが更新されると、プロジェクタ部３にて投影された表示データも更新するが、主メモリ部（プロジェクタ用バッファ１５ａ−１）に記憶された表示データが更新されることなく、副メモリ部（ピクト行表示用バッファ１５ａ−２）に記憶されたバッテリ残量表示情報及び／又は通信状態表示情報が更新されても、プロジェクタ部３にて投影された表示データは更新しなくてもよい。また、表示制御部１４ｂ−２は、プロジェクタ部３にて表示データを投影中に、無線通信部８の通信状態が圏内または圏外に変動することにより、副メモリ部（ピクト行表示用バッファ１５ａ−２に対応）に記憶された通信状態表示情報が更新されても、プロジェクタ部３にて投影された表示データを変更しなくてもよい。また、表示制御部１４ｂ−２は、開閉検出スイッチ１１にて開閉状態の変動が検出された場合、副メモリ部（ソフトキー表示用バッファ１５ａ−３）に記憶されたソフトキー表示情報を変更し、プロジェクタ部３にて表示データを投影中に、開閉検出スイッチ１１にて開閉状態の変動が検出されることにより、副メモリ部（ソフトキー表示用バッファ１５ａ−３）に記憶されたソフトキー表示情報が変更されても、プロジェクタ部３にて投影された表示データを変更しなくてもよい。また、表示制御部１４ｂ−２は、プロジェクタ部３にて表示データを投影中に、電源部１０の電力の残量状態が変動することにより、副メモリ部（ピクト行表示用バッファ１５ａ−２）に記憶されたバッテリ残量表示情報が更新されると、更新されたバッテリ残量表示情報を含む表示データをプロジェクタ部３にて投影させてもよい。
【００７３】
また、表示制御部１４ｂ−２は、投影先選択テーブル１５ｃに記憶された投影先選択情報に設定された投影先へ表示データを表示してもよい。
【００７４】
続いて、図８を参照し、表示部２に重ね合わせ用メモリ部１５ｂから表示データを表示させる場合について説明する。
【００７５】
なお、図８において、Ｓ２０１〜Ｓ２０８の各処理は、図７のＳ１０１〜Ｓ１０８の各処理と同様であるため説明を省略する。
【００７６】
図８に示すように、表示制御部１４ｂ−２は、描画更新部１４ｂ−１の処理により画面更新要求がＬＣＤの表示部２に対してなされると（Ｓ２０９）、Ｓ２０２，Ｓ２０４，Ｓ２０６，Ｓ２０８の各ステップにおいて各バッファに書き込まれた表示データの少なくとも一部を重ね合わせ用メモリ部１５ｂに書き込む（Ｓ２１０）。これにより、表示制御部１４ｂ−２は、これら各種データを合成した表示データを形成する。そして、表示制御部１４ｂ−２は、重ね合わせ用メモリ部１５ｂに書き込まれた合成された表示データを表示部２に転送する（Ｓ２１１）。これにより、表示制御部１４ｂ−２は、合成された表示データを表示部２に表示する。また、表示制御部１４ｂ−２は、重ね合わせ用メモリ部１５ｂに書き込まれた合成された表示データをプロジェクタ部３に転送してもよい（Ｓ２１２）。これにより、表示制御部１４ｂ−２は、合成された表示データをプロジェクタ部３にて投影させてもよい。
【００７７】
ここで、表示制御部１４ｂ−２は、重ね合わせ用メモリ部１５ｂに記憶された表示データをプロジェクタ部３に投影させてもよい。また、表示制御部１４ｂ−２は、利用者により選択された主メモリ部（プロジェクタ用バッファ１５ａ−１）または重ね合わせ用メモリ部１５ｂのうちいずれか（プロジェクタ用バッファ１５ａ−１または重ね合わせ用メモリ部１５ｂ）に記憶された表示データをプロジェクタ部３に投影させてもよい。
【００７８】
また、表示部２の解像度とプロジェクタ部３の解像度とが異なり、表示部２は、プロジェクタ部３よりも少なくとも一方向に長い画素数を有するワイド領域を備え（例えば、表示部２がワイドＶＧＡであり、プロジェクタ部３が通常のＶＧＡである場合等）、表示制御部１４ｂ−２は、表示部２のワイド領域の少なくとも一部に、バッテリ残量表示情報、通信状態表示情報、および、ソフトキー表示情報のうち少なくとも１つを表示してもよい。なお、ＶＧＡ（Ｖｉｄｅｏ  Ｇｒａｐｈｉｃｓ  Ａｒｒａｙ）は、６４０×４８０ドットの解像度であり、ワイドＶＧＡ（Ｗｉｄｅ  Ｖｉｄｅｏ  Ｇｒａｐｈｉｃｓ  Ａｒｒａｙ）は、８００×４８０ドットの解像度である。
【００７９】
一例として、表示部２にワイドＶＧＡを用い、プロジェクタ部３に通常のＶＧＡを用いる場合、ワイドＶＧＡは８００×４８０ドットであり、ＶＧＡは６４０×４８０ドットであるため、表示部２のワイドＶＧＡとプロジェクタ部３のＶＧＡ間で画素数の差が生じる差分領域がある。そのため、制御部１４は、表示部２のワイド領域の少なくとも一部の差分領域に、バッテリ残量表示情報、通信状態表示情報、および、ソフトキー表示情報のうち少なくとも１つを表示してもよい。また、制御部１４は、１０２４×７６８ドットのＸＧＡと、１６００×１２００ドットのＵＸＧＡとの間で画素数の差が生じる差分領域に、バッテリ残量表示情報、通信状態表示情報、および、ソフトキー表示情報のうち少なくとも１つを表示してもよい。また、制御部１４は、３２０×２４０ドットのＱＶＧＡと、４００×２５０ドットのワイドＸＧＡとの間で画素数の差が生じる差分領域に、バッテリ残量表示情報、通信状態表示情報、および、ソフトキー表示情報のうち少なくとも１つを表示してもよい。
【００８０】
また、表示制御部１４ｂ−２は、投影先選択テーブル１５ｃに記憶された投影先選択情報に設定された投影先（表示部２及び／又はプロジェクタ部３）へ表示データを表示してもよい。
【００８１】
続いて、図９を参照し、本実施の形態に係る投影先選択制御の一例について説明する。
【００８２】
図９に示すように、表示制御部１４ｂ−２は、プロジェクタ部３が使用可能であるかを判定する（Ｓ３０１）。
【００８３】
そして、表示制御部１４ｂ−２は、プロジェクタ部３が使用可能であると判定された場合（Ｓ３０１：Ｙｅｓ）、表示用メモリ部１５ａに記憶されたデータを参照し、投影内容（例えば、ファイル種別や機能等）に変化があったかを判定する（Ｓ３０２）。
【００８４】
そして、表示制御部１４ｂ−２は、投影内容に変化があったと判定された場合（Ｓ３０２：Ｙｅｓ）、投影内容（例えば、テレビ機能）に応じて、投影先選択テーブル１５ｃの投影先選択情報（例えば、テレビ画面を表示するメイン１はプロジェクタ部３にて投影する等）を取得する（Ｓ３０３）。
【００８５】
そして、表示制御部１４ｂ−２は、投影先選択テーブル１５ｃの投影先選択情報に従って決定された投影先（例えば、プロジェクタ部３）の各バッファ（例えば、プロジェクタ用バッファ１５ａ−１）のデータを更新する（Ｓ３０４）。その後、Ｓ３０１の処理から繰り返す。
【００８６】
ここで、Ｓ３０２に戻り、表示制御部１４ｂ−２は、投影内容に変化がなかったと判定された場合（Ｓ３０２：Ｎｏ）、Ｓ３０１の処理から繰り返す。
【００８７】
さらに、Ｓ３０１に戻り、表示制御部１４ｂ−２は、プロジェクタ部３が使用可能でないと判定された場合（Ｓ３０１：Ｎｏ）、投影先をＬＣＤの表示部２とし、表示用メモリ部１５ａや重ね合わせ用メモリ部１５ｂに記憶されたデータを更新する（Ｓ３０５）。その後、Ｓ３０１の処理から繰り返す。
【００８８】
ここで、図１０に示すように、従来の携帯端末では、処理の効率化のために、ＬＣＤに表示するため各種表示データを記憶するピクト行表示用バッファ（ＧＡ−１）とソフトキー表示用バッファ（ＧＡ−２）とメイン画面用バッファ（ＧＡ−３）とを含む３層構造の表示用メモリ部を持っていた。また、この表示用メモリは、その他に背景用バッファやポップアップ用バッファ等を持つこともあった。なお、ＬＣＤデバイス（表示部）に表示する際には、上記３つのバッファ（ピクト行表示用バッファとメイン画面用バッファとソフトキー表示用のバッファ）のデータを重ね合わせ用メモリ部１５ｂにおいて重ね合わせ処理を行うことにより合成していた（ＧＡ−４）。そして、合成したデータをＬＣＤデバイスに転送することにより表示させていた（ＧＡ−５）。また、転送デバイス先をプロジェクタデバイス（プロジェクタ部）にすることによって、プロジェクタ機能として使用することもできた（ＧＡ−６）。
【００８９】
しかしながら、図１１に示すように、従来の携帯端末では、プロジェクタ機能を使用した際に不必要な情報まで表示してしまうという問題点を有していた。具体的には、図１１において、静止画像表示においては（ＧＢ−１）、ユーザニーズとしてはメイン画像１のみをプロジェクタに投影させたいが、ピクト行表示およびソフトキー表示まで含まれてしまうという問題点を有していた。また、図１１において、２画面ＴＶ表示においては（ＧＢ−２）、メイン画像１のみが必要であるが、ピクト行表示、メイン画像２のＥメールメニュー表示、および、ソフトキー表示まで含まれてしまうという問題点を有していた。
【００９０】
これに対し、本発明の携帯電子機器１は、図１２および図１３に示す表示制御を行うことができる。
【００９１】
図１２および図１３に示すように、本発明の携帯電子機器１では、記憶部１５の表示用メモリ部１５ａが従来の３構造とは異なり、プロジェクタ用バッファ１５ａ−１を有することで４層構造になっている。プロジェクタ用バッファ１５ａ−１には、プロジェクタ用メイン画面の一例としてサッカー場の画像の表示データが記憶されている（ＧＣ−１，ＧＤ−１）。本発明の携帯電子機器１は、このプロジェクタ用バッファ１５ａ−１に記憶された表示データを直接プロジェクタ部３へ転送することにより、プロジェクタ部３にプロジェクタ用メイン画面としてサッカー場の画像の表示データを投影させている（ＧＣ−３，ＧＤ−３）。
【００９２】
また、ピクト行表示表バッファ１５ａ−２には、バッテリ残量表示情報の一例として電池マークや通信状態表示情報の一例としてアンテナマーク等が記憶されている。また、ソフトキー表示用バッファ１５ａ−３には、ソフトキー表示情報の一例としてＣメールボタン表示や選択ボタン表示等が記憶されている。また、メイン画面用バッファ１５ａ−４には、表示部用メイン画面の一例としてＥメールメニュー表示等が記憶されている（ＧＣ−２，ＧＤ−２）。
【００９３】
そして、携帯電子機器１の制御部１４は、表示用メモリ部１５ａに記憶された各種データの少なくとも一部を重ね合わせる重ね合わせ処理を行い、ピクト行とプロジェクタ用メイン画面と表示部用メイン画面とソフトキーとを合成して、重ね合わせ用メモリ部１５ｂに記憶する。そして、本発明の携帯電子機器１は、重ね合わせ用メモリ部１５ｂに記憶された合成された表示データを、投影先選択テーブル１５ｃの投影先選択情報に従って、表示部２及び／又はプロジェクタ部３に転送することにより、表示部２に表示（ＧＣ−４，ＧＤ−４）及び／又はプロジェクタ部３に投影させる（ＧＣ−５，ＧＤ−５）。
【００９４】
なお、図１２に示す表示制御の一例と、図１３に示す表示制御の別の一例とは、下記の点において異なるが、基本的に同様である。図１２に示す表示制御の一例では、プロジェクタ用メイン画面に表示するサッカー場の画像を、重ね合わせ処理を行う際に、表示部用メイン画面に表示するＥメールメニュー表示と重ならないよう上側で小さく表示している。一方、図１３に示す表示制御の別の一例では、プロジェクタ部３にて投影する際、プロジェクタ用メイン画面に表示するサッカー場の画像が大画面となるよう大きく表示している。
【００９５】
このように、本発明の携帯電子機器１は、例えば、プロジェクタ部３にて表示データを投影させる際、不必要な情報（例えば、ピクト行に表示されるアンテナ記号や電池マーク等）をプロジェクタ部３にて投影させないよう、携帯電子機器１のＬＣＤとプロジェクタ投影表示において異なる表示を行うことができる。また、本発明の携帯電子機器１は、表示するファイルや機能毎に投影先を選択することができる。これにより、本発明の携帯電子機器１において、プロジェクタ部３では、必要の無い表示までは行わず、見たい情報のみを表示できるようになるので、余計な情報の混ざる表示に比べて、見る人にとって非常にみやすい画面とすることができる。
【００９６】
さて、これまで本発明の実施の形態について説明したが、本発明は、上述した実施の形態以外にも、特許請求の範囲に記載した技術的思想の範囲内において種々の異なる実施の形態にて実施されてよいものである。
【００９７】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９８】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００９９】
また、携帯電子機器１に関して、図示の各構成要素は機能概念的なものであり、必ずしも物理的に図示の如く構成されていることを要しない。例えば、携帯電子機器１の各装置が備える処理機能、特に制御部１４にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、記録媒体に記録されており、必要に応じて携帯電子機器１に機械的に読み取られる。すなわち、ＲＯＭまたはＨＤなどの記憶部１５などは、ＯＳとして協働してＣＰＵに命令を与え、各種処理を行うためのコンピュータプログラムが記録されている。このコンピュータプログラムは、ＲＡＭにロードされることによって実行され、ＣＰＵと協働して制御部１４を構成する。
【０１００】
また、このコンピュータプログラムは、携帯電子機器１に対して任意のネットワーク（例えば、携帯電話回線網）を介して接続されたアプリケーションプログラムサーバに記憶されていてもよく、必要に応じてその全部または一部をダウンロードすることも可能である。また、このプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の可搬用の物理媒体を含むものとする。
【０１０１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。特に、上述したＯＳプログラムとベースソフトウェアの論理構成は、任意に変更することができ、例えば、ＯＳプログラムとベースソフトウェアを一体として広義のＯＳプログラムとして構成してもよい。なお、実施の形態に示した各装置において記録媒体を読み取るための具体的な構成、読み取り手順、あるいは、読み取り後のインストール手順等については、周知の構成や手順を用いることができる。
【０１０２】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【０１０３】
以上のように、本発明に係る携帯電子機器は、プロジェクタ部と表示部とで、よりユーザニーズを考慮した表示制御を行うことができ有用である。
【符号の説明】
【０１０４】
１  携帯電子機器
１Ｃ  筐体
１ＣＡ  第１筐体
１ＣＢ  第２筐体
２  表示部
２Ｍ  メインディスプレイ
２Ｓ  サブディスプレイ
３  プロジェクタ部
４  カメラ
５  操作部
５ａ  操作キー
５ｂ  方向及び決定キー
６  スピーカ
７  マイク
８  無線通信部
８ａ  アンテナ
８ｂ  アンテナ
８ｃ  アンテナスイッチ
８ｄ  ＣＤＭＡ用ＲＦモジュール
９  ヒンジ
１０  電源部
１１  開閉検出スイッチ
１２  傾き検出部
１３  通信用端子
１４  制御部
１４ａ  メインＣＰＵ
１４ｂ  ディスプレイコントローラ
１４ｂ−１  描画更新部
１４ｂ−２  表示制御部
１４ｃ  音声処理部
１５  記憶部
１５ａ  表示用メモリ部（Ｖ−ＲＡＭ）
１５ａ−１  プロジェクタ用バッファ
１５ａ−２  ピクト行表示用バッファ
１５ａ−３  ソフトキー表示用バッファ
１５ａ−４  メイン画面用バッファ
１５ｂ  重ね合わせ用メモリ部（Ｖ−ＲＡＭ）
１５ｃ  投影先選択テーブル（メモリ）
１６ａ  高速シリアルインターフェース
１６ｂ  高速シリアルインターフェース
１７  ダイヤル検出部
【図１】
2010197754.tif 000003
【図２】
2010197754.tif 000004
【図３】
2010197754.tif 000005
【図４】
2010197754.tif 000006
【図５】
2010197754.tif 000007
【図６】
2010197754.tif 000008
【図７】
2010197754.tif 000009
【図８】
2010197754.tif 000010
【図９】
2010197754.tif 000011
【図１０】
2010197754.tif 000012
【図１１】
2010197754.tif 000013
【図１２】
2010197754.tif 000014
【図１３】
2010197754.tif 000015